(57)【要約】  【課題】  遮光部を折り畳んで収納することができ、遮光部を折り畳まれた状態に保持して収納時の利便性を向上させることができる日除け器具を提供する。  【解決手段】  可撓環の内側に柔軟な遮光幕を張設してなる遮光部１を挟持して支持している支持部２の各挟持片２１１には、突片２２２，２２２が一体に突設してある。使用者は、遮光部１を２回ひねることによって折り畳み（図３（ａ））、折り畳まれた遮光部１を、挟持片２１１と突片２２２，２２２との間に挿入して挟持させる（図３（ｂ））。以上のようにして、遮光部１は、折り畳まれた状態に保持される。【選択図】      図３
2006143076.tif 000002
【特許請求の範囲】
【請求項１】
遮光部と、該遮光部を支持する支持部とを備える日除け器具において、
前記遮光部は、可撓環と、該可撓環の内側に張設され、前記可撓環の捻りによって畳まれる遮光幕とを有しており、
前記支持部は、前記可撓環の周方向の一箇所に取着してある取着部と、前記可撓環が捻られた場合に、捻られた前記可撓環を係止する係止部とを有することを特徴とする日除け器具。
【請求項２】
前記取着部は、前記一箇所を挟持している１組の挟持片を有し、
前記係止部は、前記挟持片との間で、捻られた前記可撓環を挟持するように前記挟持片に突設してある突片を有することを特徴とする請求項１に記載の日除け器具。
【請求項３】
前記係止部は、各挟持片夫々に設けてあることを特徴とする請求項２に記載の日除け器具。
【発明の詳細な説明】
【技術分野】
【０００１】
本発明は、遮光部と、遮光部を支持する支持部とを備える日除け器具に関する。
【背景技術】
【０００２】
従来、硬質の遮光板と、遮光板を支持する支持部とを備える日除け器具が用いられている。この日除け器具は、例えばベビーカーのフレームに日除け器具の支持部が取り付けられて、ベビーカーの座席部へ入射する光を日除け器具の遮光板が遮る（特許文献１，２参照）。
【特許文献１】特開２０００−３２６７２６号公報
【特許文献２】特願２００３−１２０４５１号
【発明の開示】
【発明が解決しようとする課題】
【０００３】
しかしながら、遮光板を備える従来の日除け器具は、遮光板を折り畳むことができないため、日除け器具を小型化して収納することができないという問題があった。
【０００４】
この問題を解決するために、軟質の遮光板を備えることが考えられる。しかしながら、従来の日除け器具は、遮光板を折り畳んだ状態に保持する手段を備えていないため、折り畳まれた遮光板が不要に広がって、収納の際に不便であるという問題があった。
【０００５】
本発明は斯かる問題を解決するためになされたものであり、遮光部の可撓環が捻られた場合に遮光部の遮光幕が畳まれ、捻られた可撓環を係止する係止部を支持部が備えることにより、小型化して収納することができ、また、遮光部を折り畳まれた状態に保持して収納の利便性を向上させることができる日除け器具を提供することを目的とする。
【０００６】
本発明の他の目的は、遮光部の可撓環を挟持している取着部の挟持片と、挟持片に突設してある係止部の突片との間で、捻られた可撓環を挟持する構成とすることにより、簡易な構造の日除け器具を提供することにある。
【０００７】
本発明の更に他の目的は、各挟持片夫々に係止部を設けてあることにより、捻られて、一方及び／又は他方の挟持片側に配された可撓環を係止部が確実に係止することができる日除け器具を提供することにある。
【課題を解決するための手段】
【０００８】
第１発明に係る日除け器具は、遮光部と、該遮光部を支持する支持部とを備える日除け器具において、前記遮光部は、可撓環と、該可撓環の内側に張設され、前記可撓環の捻りによって畳まれる遮光幕とを有しており、前記支持部は、前記可撓環の周方向の一箇所に取着してある取着部と、前記可撓環が捻られた場合に、捻られた前記可撓環を係止する係止部とを有することを特徴とする。
【０００９】
第２発明に係る日除け器具は、前記取着部は、前記一箇所を挟持している１組の挟持片を有し、前記係止部は、前記挟持片との間で、捻られた前記可撓環を挟持するように前記挟持片に突設してある突片を有することを特徴とする。
【００１０】
第３発明に係る日除け器具は、前記係止部は、各挟持片夫々に設けてあることを特徴とする。
【００１１】
第１発明にあっては、可撓環、及び可撓環の内側に張設され、可撓環の捻りによって畳まれる遮光幕を有する折り畳み可能な遮光部と、遮光部を支持すべく、可撓環の周方向の一箇所に取着してある取着部、及び可撓環が捻られた場合に、捻られた可撓環を係止する係止部を有する支持部とを備える。遮光部の可撓環が捻られた場合、遮光部の遮光幕が畳まれるため、遮光部は折り畳まれる。折り畳まれた遮光部は、捻られた可撓環が係止部に係止されることによって、折り畳まれた状態に保持される。
【００１２】
第２発明にあっては、取着部が有する１組の挟持片が、可撓環の周方向の一箇所を挟持している。また、係止部が有する突片と、挟持片との間で、捻られた可撓環が挟持される。このような突片は、１組の挟持片の少なくとも一方に突設してある。折り畳まれた遮光部は、捻られた可撓環が挟持片と突片との間で挟持されることによって、即ち捻られた可撓環が係止部に係止されることによって、折り畳まれた状態に保持される。
【００１３】
第３発明にあっては、各挟持片夫々に係止部を設けてある。つまり、１組の挟持片の両方に、突片が突設してある。このような突片は、何れか一方の挟持片側、又は両方の挟持片側に折り畳まれた遮光部を挟持片との間で挟持する。
【発明の効果】
【００１４】
第１発明の日除け器具によれば、例えばベビーカーのフレーム、自動車のグラブレール等の被取付体に支持部が取り付けられ、支持部に支持されている遮光部が、ベビーカーの座席部、車内等へ入射する光を遮ることができる。
【００１５】
また、本発明の日除け器具は、可撓環を捻ることによって遮光部を折り畳むことができ、更に、折り畳んだ遮光部を、捻られた可撓環を係止部に係止することによって、折り畳まれた状態に保持することができる。このため、折り畳まれて小型化した状態で日除け器具を収納することができ、また、折り畳まれた遮光部が不要に広がることを抑制することができる。
【００１６】
更に、捻られた可撓環を係止する係止部を支持部が備えるため、日除け器具はコンパクトである。また、日除け器具の使用者が、遮光部及び支持部夫々とは別体に設けられた係止部を準備して管理する必要がない。
【００１７】
以上のような日除け器具は、不使用時に小型化して、狭い収納場所に収納可能であり、収納時及び使用時における使用者の利便性を向上させることができる。
【００１８】
第２発明の日除け器具によれば、可撓環を挟持している１組の挟持片を有する取着部、及び、捻られた可撓環を挟持片との間で挟持する突片を有する係止部を備える支持部、並びに、可撓環、及び、可撓環の内側に張設される遮光幕を備える遮光部は、簡易な構造で形成することができる。つまり、本発明の日除け器具は、簡易な構造であるため製造が容易であり、低コストで製造可能である。
【００１９】
第３発明の日除け器具によれば、１組の挟持片夫々に係止部が設けてあるため、遮光部を片方の挟持片側に折り畳んだ場合でも、両方の挟持片側に折り畳んだ場合でも、折り畳まれた遮光部を確実に係止して、折り畳まれた状態に確実に保持することができる。つまり、本発明の日除け器具は使用者の利便性を更に向上させることができる。
【発明を実施するための最良の形態】
【００２０】
以下、本発明を、その実施の形態を示す図面に基づいて詳述する。
【００２１】
図１は、本発明に係る日除け器具３の構成を示す正面図であり、図２は、日除け器具３が備える遮光部１及び支持部２の構成を示す拡大斜視図である。日除け器具３は、遮光部１、及び遮光部１を支持する支持部２の他、取付部４を備える。ただし、図２における取付部４の図示は省略してある。
【００２２】
遮光部１は、可撓環１１の内側に柔軟な遮光幕１２を張設してなる。可撓環１１は金属製の針金を矩形環状に形成してなり、外力により捻られて変形した場合に、弾性によって、元の形状に復元される方向に付勢される。遮光幕１２はポリプロピレン製のフィルムを用いてなり、フィルムの周縁を１８０°折り返し、折り返した周縁の内側に可撓環１１を配し、更に、折り返した周縁とフィルムとの重なり部分を縫着することによって、可撓環１１の内側に張設してある。本実施の形態の遮光幕１２は、入射光（特に紫外線）を吸収、又は反射して完全に遮光する不透光幕であるが、入射光の一部を透光する半透光幕でも良い。
【００２３】
使用者が可撓環１１を手動で捻った場合、遮光幕１２は、可撓環１１の捻りによって畳まれる。このため、遮光部１は、使用者が手動で捻って折り畳むことができ、また、折り畳まれた遮光部１は、外力が加えられなくなった場合（例えば使用者が手を離した場合）に自動的に元の形状に広がる。
【００２４】
支持部２は、ポリアセタール樹脂を用いて形成してあり、可撓環１１の周方向の一箇所に取着してある取着部２１と、可撓環１１が捻られた場合に、捻られた可撓環１１を係止する係止部２２，２２とを備える。ただし、図１及び図２には、一方の係止部２２のみ図示してある。
【００２５】
支持部２の取着部２１は、夫々矩形板状の１組の挟持片２１１，２１１と、後述する取付部４の組付部が組み付けられる円筒状の組付筒部２１２とを備える。組付筒部２１２は、組付筒部２１２の一部を構成する第１柄２１２ａと残部を構成する第２柄２１２ｂとで構成され、一方の挟持片２１１の一端から第１柄２１２ａが、この一端に対応する他方の挟持片２１１の一端から第２柄２１２ｂが、夫々面方向に突設してある。
【００２６】
支持部２は、夫々の一面同士を対向配置された挟持片２１１，２１１を、遮光部１１を介して取着し、第１柄２１２ａと第２柄２１２ｂとを直接的に取着することによって形成されており、挟持片２１１，２１１の対向面の間に、可撓環１１の周方向の一箇所（及びこの一箇所を含む遮光幕１２の一部）を挟持する。このことによって、取着部２１は、可撓環１１の周方向の一箇所に取着してあり、この結果、支持部２は遮光部１を支持している。
【００２７】
支持部２の各係止部２２は、２個１組の突片２２２，２２２を有する。突片２２２，２２２は、１枚の挟持片２１１に突設してあり、この挟持片２１１との間で、捻られた可撓環１１を挟持する。このような係止部２２は、各挟持片２１１夫々に設けてある。一方の挟持片２１１及びこの挟持片２１１に設けられた突片２２２，２２２の構成と他方の挟持片２１１及びこの挟持片２１１に設けられた突片２２２，２２２の構成とは略同様であるため、以下では、一方の挟持片２１１及び突片２２２，２２２の構成に関して説明する。
【００２８】
１組の突片２２２，２２２は、１枚の挟持片２１１の外面に、組付筒部２１２の長手方向の仮想的な延長線を挟むように配されている。また、挟持片２１１には、材料の使用量を低減するための矩形の孔部２１１ａ，２１１ａが突片２２２，２２２に対応して形成してある。各突片２２２は略矩形の可撓板であって、組付筒部２１２に近い方の一辺部が、挟持片２１１の外面に一体形成された固定端であり、組付筒部２１２から遠い方の他辺部が、挟持片２１１の外面及び孔部２１１ａから適長離隔して配された自由端であり、孔部２１１ａを覆うようにして配されている。
【００２９】
挟持片２１１の外面と突片２２２，２２２の内面（挟持片２１１側の面）との間に遮光部１の可撓環１１が挿入された場合、突片２２２，２２２は外側へ撓み、このため、突片２２２，２２２は弾性復元力によって挟持片２１１との間に可撓環１１を確実に挟持して固定する。この結果、捻られた可撓環１１は係止部２２に係止され、遮光部１は折り畳まれた状態に保持される。
【００３０】
取付部４は、掴持部４１とフレキシブルシャフト４２とを備える。掴持部４１は、日除け器具３を取り付けるべき被取付体を掴持するように構成してある。また、フレキシブルシャフト４２は、一端に掴持部４１を一体的に備え、他端に、支持部２の組付筒部２１２に内嵌する図示しない組付部を一体的に備える。この組付部を組付筒部２１２に取り外し可能に組み付けることによって、支持部２と取付部４とが連結される。このような取付部４は、フレキシブルシャフト４２を折り曲げることによって、コンパクトに収納することができる。
【００３１】
なお、掴持部４１及びフレキシブルシャフト４２は、具体的には、特許文献１に開示されているフレキシブルシャフト及び掴持部のように構成してあり、取付部４の組付部及び組付筒部２１２は、例えば、特許文献２に開示されている組付部及び組付筒部のように構成してある。
【００３２】
図３は、日除け器具３の収納手順の説明図である。遮光部１が広げられている日除け器具３を収納する場合、使用者は、まず、遮光部１を例えば上側に、支持部２を下側に配して、支持部２を一方の手で把持し、遮光部１の上部（支持部２の挟持片２１１，２１１に挟持されている部分の対向部分）を他方の手で摘持する。
【００３３】
次に、使用者は遮光部１を、支持部２を中心にして水平方向に（組付筒部２１２の周方向に）２回捻り、可撓環１１を撓ませる（図３（ａ））。この際、可撓環１１が捻られて撓んだことによって、遮光幕１２も捻られて弛み、使用者が、捻られた可撓環１１の一部分と他部分とを適宜に重ねることによって、遮光幕１２も畳まれる。このようにして、使用者は遮光部１を折り畳む。遮光部１の折り畳みが完了した場合、可撓環１１は３重となる。
【００３４】
最後に、使用者は、捻られた可撓環１１を支持部２の一方の挟持片２１１側に配し、この挟持片２１１と突片２２２，２２２との間の溝に、可撓環１１を挿入する（図３（ｂ））。遮光部１の挿入が完了した場合、捻られた可撓環１１が挟持片２１１と突片２２２，２２２との間に挟持され、即ち捻られた可撓環１１が係止部２２に係止され、遮光部１は、折り畳まれた状態に保持される。以上のようにして遮光部１が折り畳まれた日除け器具３は、遮光部１が広げられている状態よりも小型化し、使用者は、小型化した状態の日除け器具３を収納する。
【００３５】
一方、遮光部１が折り畳まれている日除け器具３を使用する場合、使用者は、支持部２を一方の手で把持し、他方の手で、挟持片２１１と突片２２２，２２２との間に挟持されている可撓環１１を、挟持片２１１と突片２２２，２２２との間から抜き出して離脱させる。この場合、遮光部１は、可撓環１１の弾性復元力によって、自動的に元の形状に広がる。
【００３６】
ところで、図３においては、支持部２と取付部４とを連結した状態で遮光部１を折り畳んでいるが、これに限らず、支持部２を取付部４から取り外した状態で遮光部１を折り畳んでも良い。
【００３７】
図４は、日除け器具３をベビーカー６のフレーム６０に取り付けた状態を示す斜視図であり、図５は、日除け器具３を自動車７のグラブレール７０に取り付けた状態を示す斜視図である。ベビーカー６は、金属、合成樹脂等を用いてなる複数のパイプ状部材で構成されたフレーム６０を備え、更に、フレーム６０の下部に設けられた複数の車輪、フレーム６０の中央部にハンモック状に設けられた座席部６１等を備える。また、自動車７は、車内の補助席側上部、後部座席上部等に、同乗者が握持するグラブレール７０を備える。以上のようなフレーム６０及びグラブレール７０は、日除け器具３を取り付ける被取付体として用いられる。
【００３８】
使用者は、まず、支持部２と取付部４とを連結させておき、また、遮光部１を広げておく。次に、掴持部４１を操作して、掴持部４１にフレーム６０又はグラブレール７０を掴持させることによって、フレーム６０又はグラブレール７０に取付部４を取り付ける。
【００３９】
以上のように取り付けられた日除け器具３は、掴持部４１及び支持部２の間がフレキシブルシャフト４２によって連結されているため、フレーム６０又はグラブレール７０に対する掴持部４１の掴持位置、ひいては日除け器具３の取付位置を変えることなく、フレキシブルシャフト４２を曲げたり、捩じったりすることによって、日差しの方向に応じ、遮光部１の位置及び角度を自由に変えることができる。このため、遮光部１が、ベビーカー６の座席部６１又は自動車７内部へ入射する光を的確に遮ることができる。
【００４０】
なお、日除け器具３を取り付ける被取付体は、フレーム６０及びグラブレール７０に限るものではなく、例えば、自動車７内のフロントガラスの上側に揺動可能に設けられるサンバイザでも良い。また、ベビーカー６は天蓋を備えないが、天蓋を備えるベビーカーに日除け器具３を用いても良い。
【００４１】
以上のような日除け器具３を用いる場合、使用者は、遮光部１を折り畳み、遮光部１が折り畳まれて小型化した状態で日除け器具３を収納することができる。このとき、支持部２が備える係止部２２が遮光部１を折り畳まれた状態に保持することができ、このため、折り畳まれた遮光部１が不要に広がることを抑制することができる。この結果、使用者が、遮光部１を折り畳んだ状態に保持するために、支持部２と別体に設けられた保持部（例えば洗濯バサミ）を準備しておく必要がない。また、突片２２２，２２２，…は支持部２の挟持片２１１，２１１に一体に設けてあるためコンパクトであり、この結果、係止部２２，２２を備えることによる日除け器具３の大型化が抑制されている。以上のような日除け器具３は、不使用時に小型化して、狭い収納場所に収納可能であり、収納時及び使用時における使用者の利便性を向上させることができる。
【００４２】
更に、日除け器具３は、遮光部１及び支持部２が簡易な構造であるため製造が容易である。
【００４３】
また、突片２２２，２２２が、各挟持片２１１夫々に設けてあるため、捻られた可撓環１１を何れの挟持片２１１側に配して挟持しても良く、このため使用者の利便性が更に向上されている。
【００４４】
なお、捻られた可撓環１１を両方の挟持片２１１，２１１側に配して夫々挟持しても良く、この場合、可撓環１１が突片２２２，２２２，…と挟持片２１１，２１１との間から脱離して、折り畳まれた遮光部１が不要に広がることを更に抑制することができる。また、支持部２に取付部４を取り付けず、使用者が支持部２を握持して日除け器具３を使用しても良い。
【図面の簡単な説明】
【００４５】
【図１】本発明に係る日除け器具の構成を示す正面図である。
【図２】本発明に係る日除け器具が備える遮光部及び支持部の構成を示す拡大斜視図である。
【図３】本発明に係る日除け器具の収納手順の説明図である。
【図４】本発明に係る日除け器具をベビーカーのフレームに取り付けた状態を示す斜視図である。
【図５】本発明に係る日除け器具を自動車のグラブレールに取り付けた状態を示す斜視図である。
【符号の説明】
【００４６】
１      遮光部
１１    可撓環
１２    遮光幕
２      支持部
２１    取着部
２１１  挟持片
２２    係止部
２２２  突片
３      日除け器具
【図１】
2006143076.tif 000003
【図２】
2006143076.tif 000004
【図３】
2006143076.tif 000005
【図４】
2006143076.tif 000006
【図５】
2006143076.tif 000007